(57)【要約】【課題】分解機能を有し、カーテンの清掃作業がしやすく、スラットの接合構造により別の透光度のよいカーテン製品を提供できる、１種の透光性制御機能を有するカーテン装置を提供する。【解決手段】多数個のスラット２０は不透光の材質で作られ、それぞれ第１端２２および第２端２３を有し、そのうち第１端２２はそれぞれ布製幕体１０上に間隔をあけて配列された状態で固設され、第２端２３はその端に沿って少なくとも１個の第１部品２４を有し、各第１部品２４内には第１穴２５が形成されている。連結部品３０は該布製幕体１０と平行に設置され、各スラット２０の第１端２２が該布製幕体１０に等間隔に固設されているのと相対する位置上に、第２部品３１がそれぞれ横方向に設けられている。多数の結合桿はそれぞれ該第２穴３２と第１穴２５の中を通り、それによって該第２部品３１と第１部品２４とを結合している透光性制御機能を有するカーテン装置である。【選択図】　図２
2004116276.tif 000002
【特許請求の範囲】
【請求項１】
半透明の材質で形成された１枚の布製幕体と、
不透光の材質で形成され、第１端および第２端を有し、そのうち第１端はそれぞれ該布製幕体上に間隔をあけて配列された状態で固設され、第２端はその端に沿って少なくとも１個の第１部品を有し、各第１部品内には１個の第１穴が形成されている多数個のスラットと、
該布製幕体と平行に設置され、各スラットの第２端と連結している端面上の、各スラットが該布製幕体に等間隔に固設されているのと相対する位置上に、少なくとも１個の第２部品がそれぞれ横方向に設けられ、各第２部品内には１個の第２穴が形成されており、かつ該第２部品と第１部品は横方向に配列され、該第２穴と第１穴が同軸方向に対応している少なくとも１個の連結部品と、
それぞれ該第２穴と第１穴の中を通り、それによって該第２部品と第１部品とを結合している多数の結合桿と、を備えることを特徴とする透光性制御機能を有するカーテン装置。
【請求項２】
各スラットの第１部品は１個の円筒状であり、かつ第１部品は少なくとも１個の切れ目を有し、該第２部品は糸製の環状物であり該切れ目の中に設置されることを特徴とする請求項１記載の透光性制御機能を有するカーテン装置。
【請求項３】
該第１部品の両端にそれぞれ１個の束縛部品を有することを特徴とする請求項２記載の透光性制御機能を有するカーテン装置。
【請求項４】
該連結部品は１枚の布製幕体であることを特徴とする請求項２記載の透光性制御機能を有するカーテン装置。
【請求項５】
２個の連結部品を有し、各連結部品は１個の糸状物であることを特徴とする請求項２記載の透光性制御機能を有するカーテン装置。
【請求項６】
２個の連結部品を有し、各連結部品は１個の帯状物であることを特徴とする請求項２記載の透光性制御機能を有するカーテン装置。
【請求項７】
該第１部品はスラット本体の末端を内側に巻き込んで所定の剛性の巻き筒状にし、接着硬化させて形成されることを特徴とする請求項１記載の透光性制御機能を有するカーテン装置。
【請求項８】
該第１部品は少なくとも１個の切れ目を有し、該連結部品の各第２部品の第２穴には該結合桿が通っており、各結合桿は該切れ目の中に設置されて第１穴の中を通っていることを特徴とする請求項７記載の透光性制御機能を有するカーテン装置。
【請求項９】
各スラットの第１部品は糸製の環状物、第２部品は円筒状であり、かつ該第２部品は少なくとも１個の切れ目を有し、該第１部品を設置できるようにしていることを特徴とする請求項１記載の透光性制御機能を有するカーテン装置。
【請求項１０】
該連結部品は１枚の布製幕体であることを特徴とする請求項９記載の透光性制御機能を有するカーテン装置。
【請求項１１】
各スラットの第１端はその縁に沿って少なくとも１個の第３部品を有し、各第３部品内には１個の第３穴が形成されており、該布製幕体の布面には等間隔の位置上に横方向に少なくとも１個の第４部品を有しており、各第４部品内には１個の第４穴が形成されており、かつ該第４部品と第３部品は横方向に配列され、該第４穴と第３穴は同軸方向に対応しており、１個の結合桿が該第４穴と第３穴の中を通り、第４部品と第３部品とを結合させていることを特徴とする請求項１記載の透光性制御機能を有するカーテン装置。
【請求項１２】
半透明の材質で形成された１枚の布製幕体と、
不透光の材質で形成され、第１端および第２端を有し、そのうち第１端はそれぞれ該布製幕体上に間隔をあけて配列された状態で固設され、第２端はその端に沿って少なくとも１個の環状物の第１部品を有し、各第１部品内には１個の第１穴が形成されている多数個のスラットと、
１枚の布製幕体形態であり、上述の布製幕体と平行に設置され、各スラットの第２端と連結している端面上の、各スラットが該布製幕体に等間隔に固設されているのと相対する位置上に、少なくとも１個の長穴がそれぞれ横方向に設けられ、各長穴に隣接する左右の布面を前後に交錯させることにより第２部品を形成し、該第２部品が軸方向に取り囲んでいる空間が１個の第２穴を形成しており、また該第２部品と第１部品は横方向に配列され、該第２穴と第１穴が同軸方向に対応している少なくとも１個の連結部品と、
それぞれ該第２穴と第１穴の中を通り、それによって該第２部品と第１部品とを結合している多数の結合桿と、を備えることを特徴とする透光性制御機能を有するカーテン装置。
【発明の詳細な説明】
【０００１】
【発明の属する技術分野】
本発明は、カーテンに関し、詳細に言うと１種の透光性制御機能を有するカーテン装置（ＬＩＧＨＴ　ＣＯＮＴＲＯＬ　ＷＩＮＤＯＷ　ＣＯＶＥＲＩＮＧ　ＡＳＳＥＭＢＬＹ）に関する。
【０００２】
【従来の技術】
従来の透光性制御カーテンは、例えば、半透明効果がある２枚の織布（Ｆａｂｒｉｃ）で構成される第１布製幕体（１）および第２布製幕体（２）を有し、該第１、第２布製幕体（１）（２）の間に、間隔をあけて平行に多数個の不透光性スラット（３）を固設し、該第１、第２布製幕体（１）（２）の相対変位によって該不透光性スラット（３）の角度を変化させ、第１、第２布製幕体（１）（２）の間から出入りする光量の大きさを制御することができる繊維構造の布であるため、伝統的なブラインド（Ｖｅｎｅｔｉａｎ　Ｂｌｉｎｄ）と比較すると、やわらかい質感（ｓｏｆｔｅｒ　ａｐｐｅａｒａｎｃｅ）による美観効果および視線の遮断（ｉｎｓｕｌａｔｉｎｇ）効果を有し、これにより消費者に深く愛好されている。（特許文献１参照）
【０００３】
さらに、透光性制御カーテンの構造に関して公開されている構造は、すべて２枚の半透明の布製幕体を多数の不透明のスラットに接合するというものであり、その差異は接合構造がわずかに異なるに過ぎないが、それぞれ特許を獲得している（特許文献２、３、４及び５参照）。しかし、いずれにせよ上述の特許案件はスラットと２枚の布製幕体の接合構造において、製品が完成した後は三者を分離できないという接合方式を同じように採用している。しかし、製品を長期間使用すると、異物、塵埃および虫の死骸などがスラット内に堆積しやすく、スラットと２枚の布製幕体が分解できないため、清掃作業においては該スラットによって隠された部分まで深く突っ込んで行わなければならず、作業上、相当不便で、かつきれいになりにくい。もしカーテンの幅が広すぎれば、清掃器具はスラットによって更に深く隠された部分までは到底届かないため、清掃作業ができず、カーテンによって隠された部分は居住環境における汚染源になってしまう。
【０００４】
さらに、上述の特許案件のスラット接合構造は、１枚の布製幕体と単独で接合することには適さない。その原因は、スラットが軟質の布質であるため、スラットの、他の物体と接合していない端の部分は、重力によって垂れ下がり、また外力を受けて揺れ動きやすく、外観が不揃いとなり、美観が大幅に損なわれるためである。よって、スラットの端は大部分あるいは全面的にもう１枚の布製幕体と連結する必要があり、これにより上述の問題が発生しないようにしている。しかし、２枚の布製幕体は必ず重なり合う（ｏｖｅｒｌａｐｐｉｎｇ）必要があり、カーテンの透明度（ｓｅｅ−ｔｈｒｏｕｇｈ）はよくない。換言すると、上述の特許案件のスラット接合構造では、別の透光度のよいカーテン製品は提供できないのである。
【０００５】
【特許文献１】
ＵＳ　ＰＡＴ　３，３８４，５１９の図１
【特許文献２】
ＵＳ　ＰＡＴ　６，３０２，９８２号
【特許文献３】
ＵＳ　ＰＡＴ　６，１６４，３６３号
【特許文献４】
ＵＳ　ＰＡＴ　５，３９４，９２２号
【特許文献５】
ＵＳ　ＰＡＴ　５，３１３，９９９号
【０００６】
【発明が解決しようとする課題】
上述の欠点に鑑み、本発明の主要目的は、分解機能を有し、カーテンの清掃作業がしやすい１種の透光性制御機能を有するカーテン装置を提供することである。
本発明のもう一つの目的は、スラットの接合構造により別の透光度のよいカーテン製品を提供できる、１種の透光性制御機能を有するカーテン装置を提供することである。
【０００７】
【課題を解決するための手段】
上述の目的を達成するための、本発明の１種の透光性制御機能を有するカーテン装置は以下の内容を含む。半透明の材質で作られた１枚の布製幕体、多数個のスラット、各スラットは不透光の材質で作られ、それぞれ第１端および第２端を有し、そのうち各スラットの第１端はそれぞれ該布製幕体上に間隔をあけて配列された状態で固設され、各スラットの第２端はその端に沿って少なくとも１個の第１部品を有し、各第１部品内には１個の第１穴が形成されている。少なくとも一つの連結部品、各連結部品は該布製幕体と平行に設置され、各スラットの第２端と連結している端面上の、各スラットの第１端が該布製幕体に等間隔に固設されているのと相対する位置上に、少なくとも１個の第２部品がそれぞれ横方向に設けられている。各第２部品内には１個の第２穴が形成されており、かつ該第２部品と第１部品は横方向に配列され、該第２穴と第１穴が同軸方向に対応するようになっている。多数の結合桿、これはそれぞれ該第２穴と第１穴の中を通り、それによって該第２部品と第１部品とを結合している。
【０００８】
【発明の実施の形態】
審査官殿に本発明の目的、特徴および効果についてさらにご理解いただくため、ここに以下の実施例を列挙し、詳細図に基づいて説明する。
【０００９】
まず図２から図４までをご参照いただきたい。本発明の第１の比較的よい実施例であり、１枚の布製幕体１０、多数のスラット２０、１個の連結部品３０および多数の結合桿２９を有する。
該布製幕体１０は、半透明状の織布材質で製造されており、所定の長さを有し、その上端１１は巻き取り軸Ａ上に固設されており、下端１２には該布製幕体１０と同じ幅の重り１３が横方向に設けられ、該重り１３の設置により、下方向へ引っ張る張力が該布製幕体１０に働き、布面を平らにしている。
【００１０】
該多数のスラット２０は、その中央部分２１は不透明の織布材質あるいは極薄のプラスチック片で形成され、該中央部分２１の両端にはそれぞれ１個の第１端２２および１個の第２端２３が形成されており、そのうち該第１端２２は、間隔をあけて配列された状態で該布製幕体１０上にそれぞれ横向きに固設され、その固設方式は、布製幕体１０およびスラット２０の材質の違いにより加熱圧着、高周波溶着、接着あるいは縫製など異なる方式で連結される。各スラット２０の第２端２３は、その端に沿って１個の第１部品２４が縫製方式により備えられており、これは布を巻いて形成した円筒であり、内側に１個の第１穴２５が形成され、該第１穴２５の両端には１個の伸縮作用のある束縛部品２６を備える。該第１部品２４の両側にはそれぞれ１個の切れ目２７、２８がある。
【００１１】
該連結部品３０は、半透明状の織布材質で作られた１枚の布製幕体で、所定の長さを有し、その上端は該巻き取り軸（Ａ）上に固設されている。該連結部品３０は該布製幕体と平行に設置され、該連結部品３０と各スラット２０の第２端２３とが対応している端面上の、各スラット２０の第１端２２が該布製幕体１０に固設されている間隔と等しい横方向の位置上に、間隔をあけて２個の第２部品３１を有する。各第２部品３１は糸で編んだ環状物であり、内側に１個の第２穴３２が形成され、該第２部品３１は各スラット２０の第２端２３の切れ目２７、２８の中に設置され、第１部品２４と横方向に配列され、該第２穴３２と第１穴２５が同軸方向に対応するようになっている。
【００１２】
該結合桿２９は、ガラス繊維あるいは木質、竹質の長い棒状体であり、軽量であることが望ましい。その長さは該スラット２０の第２端２３の長さとだいたい等しく、各結合桿２９は順に第１穴２５と第２穴３２を通り、該束縛部品２６によってその両端の位置を決められており、それによって該第１部品２４と第２部品３１とを結合し、該連結部品３０を各スラット２０の第２端２３上に連結させている。
【００１３】
上述の部材の組合せにより、図２のようにカーテンが開放位置にある時、各スラット２０と該布製幕体１０および該連結部品３０は垂直状体にあり、この時、使用者は半透明状の布製幕体のみで遮られており、視線の遮断効果を有するほか、透明度が非常に良好である。図５のように該巻き取り軸Ａを巻き動かすと、該布製幕体１０と該連結部品３０の相対位置が変わることにより、各不透光スラット２０の角度が変わり該布製幕体１０の半透明の面積を遮り閉鎖状態となる。
【００１４】
本発明では、カーテンの長期間の使用において、異物、塵埃および虫の死骸などが各スラット２０内に堆積し、スラット内のごみを清掃しようとする場合、各結合桿２９を１個ずつ各第１部品２４と第２部品３１から抜き取ってスラット２０と連結部品３０の分解作業を行い、スラット２０と連結部品３０を快速に分解すると、スラット２０の第１端と布製幕体１０は連結しているが、その第２端は自由な非連結状態にあるので、該スラット２０の上下両面を全面的に清掃でき、同時に布製幕体１０および連結部品３０の内側も清掃できる、清掃作業は快速かつ容易で、カーテンに隠された部分の汚染源を迅速に除去することができる。清掃作業が完了したら、各結合桿２９を１個ずつ各第１部品２４と第２部品３１中に通し入れてスラット２０と連結部品３０とを結合させるだけでよく、作業は快速かつ容易である。
【００１５】
さらに図６をご参照いただきたい。本発明の第２の比較的よい実施例であり、第１の比較的よい実施例と異なるのは以下の点である、各スラット４０の第１部品４４は糸で編んだ環状物であり、該第１穴４５を形成している。該連結部品５０の第２部品５１は１個の布を巻いて形成した円筒であり、該第２穴５２を形成している。また図７および図８をご参照いただきたい。本発明の第３の比較的よい実施例であり、第２の比較的よい実施例と異なるのは以下の点である。該連結部品６０の第２部品６１は、該連結部品６０の布面上に直接形成されている。該布面上に２個の長穴６３を設け、該連結部品６０の、各長穴６３に隣接する左右の布面を前後に交錯させることにより該第２部品６１を形成し、かつ該第２部品６１が軸方向に取り囲んでいる空間が１個の第２穴６２を形成している。
【００１６】
また図９から図１２をご参照いただきたい。本発明の第４の比較的よい実施例であり、第１の比較的よい実施例と異なるのは以下の点である。本実施例では２個の連結部品７０を有し、各連結部品７０は１個の糸状物であり、多数本の糸を巻き合わせて形成したものである。該第２部品７１は１本あるいは多数本の糸を巻き合わせて形成した環状物である。換言すれば、本発明は該スラット２０の第２端２３の縁に該結合桿２９を有するのを利用し、該結合桿２９が縁の補強材（ｓｔｉｆｆｅｎｅｒ）になっているので、スラットの縁の剛性を強化することができ、従来構造のように別の１枚の布製幕体あるいは比較的幅広の帯状物を利用してスラットの第２端と幅の広い連結をする必要がなく、比較的細い糸状物で連結することができ、全体の構造としては１枚の布製幕体を必要とするだけなので、その透明度（ｓｅｅ−ｔｈｒｏｕｇｈ）を増すことができる。またスラットの第２端２３の糸状物に連結していない部分も剛性に優れる特性を有するため、重力や外力によって垂れ下がる、あるいは揺れ動くという状況は起こりにくい。
【００１７】
さらに図１３をご参照いただきたい。本発明の第５の比較的よい実施例であり、第１の比較的よい実施例と異なるのは以下の点である。２個の連結部品８０を有し、各連結部品８０は所定の厚さの帯状物であり、該帯状物は間隔をあけて多数の第２部品８１を有し、かつ各スラット２０は比較的広い幅の切れ目２７、２８を形成し、該結合桿２９がそれぞれ各第１穴２５および各第２穴８２の中を通り位置を決定している。
【００１８】
また図１４をご参照いただきたい。本発明の第６の比較的よい実施例であり、第１の比較的よい実施例と異なるのは以下の点である。該スラット９０の第２端９３はその布質本体の末端を内側に巻き込んで所定の剛性の巻き筒状にし、接着硬化させて該第１部品９４を形成し、さらに比較的幅の広い切れ目９７、９８を形成している。２個の連結部品１００、これはそれぞれ１個の糸状物であり、間隔をあけて多数の環状物である第２部品１０１を有する。多数の結合桿１１０、各結合桿１１０の中央には１個の凹溝１１１を有し、該第２部品１０１が該凹溝１１１を通って位置を決定し、また両側には１個の定位柱１１２が突き出ており、該定位柱１１２が該第１部品９４の第１穴９５中を通って位置を決定している。さらに図１５をご参照いただきたい。本発明の第７の比較的よい実施例であり、第６の比較的よい実施例と異なる点は、各連結部品１２０が１個の帯状物であることである。
【００１９】
さらに図１６をご参照いただきたい。本発明の第８の比較的よい実施例であり、第１の比較的よい実施例と異なる点は以下の通りである、該スラット２０と布製幕体１０の連結方式は、該スラット２０と連結部品３０の連結方式と同じ方式を採用しており、該スラット２０および布製幕体１０は多数個の、等間隔に配列されかつ数量も同等である第３部品２４’の第３穴２５’および第４部品１４の第４穴１５等を有し、結合桿２９’を通すことにより結合されている。換言すれば、本実施例では該結合桿２９、２９’を抜き取ると、スラット２０は完全に該布製幕体１０および連結部品３０より分離するため、スラット２０の、いっそう清潔効果を有する清掃作業が可能になるほか、さらに使用者の好みにより、異なる図案、色、彩度の別のスラット２０と交換し、全部のスラット２０を新たに置き換えれば、カーテンが閉鎖状態のとき、異なる図案色彩を呈し、従来構造よりもさらに置換性および多様性を有する。
【００２０】
事実上、本発明の連結構造のカーテン装置の、スラットと連結部品および布製幕体が有する分解機能を利用すれば、カーテンの清掃作業がしやすく、同時に別の透光性の良いカーテン製品を提供でき、さらに従来のカーテンと比べると、比較的スラットの置換性および商品の多様性を有する。これにより、上述の実施例に基づいて実施することは、すべて本発明の発明主旨にのっとるものと見なす。
総合すると、本発明は同類製品の中で進歩実用性を有し、関係文献資料を調査しても同様の内容は未見であるため、発明人の権利を保護するため、ここに法に基づき特許申請を提出するものである。
【図面の簡単な説明】
【図１】従来の透光性制御カーテンを示す外観斜視図である。
【図２】本発明の第１の比較的よい実施例による透光性制御機能を有するカーテン装置を示す外観斜視図であり、カーテンの開放状態を表している。
【図３】本発明の第１の比較的よい実施例による透光性制御機能を有するカーテン装置を示す分解斜視図である。
【図４】本発明の第１の比較的よい実施例による透光性制御機能を有するカーテン装置を示す局部拡大分解斜視図である。
【図５】図２の動作図でありカーテンが閉まろうとする状態を表している。
【図６】本発明の第２の比較的よい実施例による透光性制御機能を有するカーテン装置を示す局部拡大分解斜視図である。
【図７】本発明の第３の比較的よい実施例による透光性制御機能を有するカーテン装置を示す局部拡大分解斜視図である。
【図８】本発明の第３の比較的よい実施例による透光性制御機能を有するカーテン装置を示す局部拡大組合斜視図である。
【図９】本発明の第４の比較的よい実施例による透光性制御機能を有するカーテン装置を示す外観斜視図であり、カーテンの開放状態を表している。
【図１０】本発明の第４の比較的よい実施例による透光性制御機能を有するカーテン装置を示す分解斜視図である。
【図１１】本発明の第４の比較的よい実施例による透光性制御機能を有するカーテン装置を示す局部拡大分解斜視図である。
【図１２】図９の動作図でありカーテンが閉まろうとする状態を表している。
【図１３】本発明の第５の比較的よい実施例による透光性制御機能を有するカーテン装置を示す局部拡大分解斜視図である。
【図１４】本発明の第６の比較的よい実施例による透光性制御機能を有するカーテン装置を示す局部拡大分解斜視図である。
【図１５】本発明の第７の比較的よい実施例による透光性制御機能を有するカーテン装置を示す局部拡大分解斜視図である。
【図１６】本発明の第８の比較的よい実施例による透光性制御機能を有するカーテン装置を示す分解斜視図である。
【符号の説明】
１０　布製幕体
Ａ　巻き取り軸
２０　スラット
２１　中央部分
２２　第１端
２３　第２端
２４　第１部品
２５　第１穴
２６　束縛部品
２７、２８　切れ目
２９　結合桿
３０　連結部品
３１　第２部品
３２　第２穴
４０　スラット
４４　第１部品
４５　第１穴
５０　連結部品
５１　第２部品
５２　第２穴
６０　連結部品
６１　第２部品
６２　第２穴
６３　長穴
７０　連結部品
７１　第２部品
８０　連結部品
８１　第２部品
８２　第２穴
９０　スラット
９３　第２端
９４　第１部品
９７、９８　切れ目
１００　連結部品
１０１　第２部品
１１０　結合桿
１１１　凹溝
１１２　定位柱
１２０　連結部品
１０　布製幕体
１４　第４部品
１５　第４穴
２０　スラット
２２　第１端
２３　第２端
２４　第１部品
２５　第１穴
２４’　第３部品
２５’　第３穴
２９、２９’　結合桿
３０　連結部品
３１　第２部品
３２　第２穴
【図１】
2004116276.tif 000003
【図２】
2004116276.tif 000004
【図３】
2004116276.tif 000005
【図４】
2004116276.tif 000006
【図５】
2004116276.tif 000007
【図６】
2004116276.tif 000008
【図７】
2004116276.tif 000009
【図８】
2004116276.tif 000010
【図９】
2004116276.tif 000011
【図１０】
2004116276.tif 000012
【図１１】
2004116276.tif 000013
【図１２】
2004116276.tif 000014
【図１３】
2004116276.tif 000015
【図１４】
2004116276.tif 000016
【図１５】
2004116276.tif 000017
【図１６】
2004116276.tif 000018